【手続補正書】
【提出日】平成27年7月17日(2015.7.17)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００１
【補正方法】変更
【補正の内容】
【０００１】
本発明は、有色インクと画質向上液を用いて記録媒体に画像を記録するための画像処理装置および画像処理方法に関する。
【手続補正３】
【補正対象書類名】明細書
【補正対象項目名】０００９
【補正方法】変更
【補正の内容】
【０００９】
そのために本発明は、色材を含む有色インクと透明な画質向上液を吐出する記録ヘッドを用いて記録媒体に画像を記録するための画像処理装置であって、前記画像の階調を示す画像データに基づいて、前記有色インクおよび前記画質向上液のドットの記録および非記録を前記記録媒体の各画素に相当する領域に対して定めるドット配置データを生成するドット配置データ生成手段を備え、前記ドット配置データ生成手段は、前記記録媒体における前記有色インクのドット配置よりも、前記画質向上液のドット配置の方が、空間周波数における低周波成分が多く含まれるように、前記ドット配置データを生成することを特徴とする。
【手続補正４】
【補正対象書類名】明細書
【補正対象項目名】００１０
【補正方法】変更
【補正の内容】
【００１０】
また、色材を含む有色インクと透明な画質向上液を吐出する記録ヘッドを用いて記録媒体に画像を記録するための画像処理方法であって、前記画像の階調を示す画像データに基づいて、前記有色インクおよび前記画質向上液のドットの記録および非記録を前記記録媒体の各画素に相当する領域に対して定めるドット配置データを生成するドット配置データ生成工程を有し、前記ドット配置データ生成工程は、前記記録媒体における前記有色インクのドット配置よりも、前記画質向上液のドット配置の方が、空間周波数における低周波成分が多く含まれるように、前記ドット配置データを生成することを特徴とする。
【手続補正５】
【補正対象書類名】特許請求の範囲
【補正対象項目名】全文
【補正方法】変更
【補正の内容】
【特許請求の範囲】
【請求項１】
色材を含む有色インクと透明な画質向上液を吐出する記録ヘッドを用いて記録媒体に画像を記録するための画像処理装置であって、
前記画像の階調を示す画像データに基づいて、前記有色インクおよび前記画質向上液のドットの記録および非記録を前記記録媒体の各画素に相当する領域に対して定めるドット配置データを生成するドット配置データ生成手段
を備え、
前記ドット配置データ生成手段は、前記記録媒体における前記有色インクのドット配置よりも、前記画質向上液のドット配置の方が、空間周波数における低周波成分が多く含まれるように、前記ドット配置データを生成することを特徴とする画像処理装置。
【請求項２】
前記ドット配置データに従って、前記有色インクによる記録が完了した後に前記画質向上液の記録を行うように制御することを特徴とする請求項１に記載の画像処理装置。
【請求項３】
前記ドット配置データ生成手段は、ノイズを加算した閾値を用いて誤差拡散処理を行うことによって前記ドット配置データを生成し、前記有色インクの前記ドット配置データを生成する際に用いるノイズの振幅よりも前記画質向上液のドット配置データを生成する際に用いるノイズの振幅を大きくすることにより、前記記録媒体における前記有色インクのドット配置よりも前記画質向上液のドット配置の方が、空間周波数における低周波成分を多く含むようにすることを特徴とする請求項１または２に記載の画像処理装置。
【請求項４】
前記ドット配置データ生成手段は、個々の画素に対して前記ノイズが設定されたノイズマトリックスを参照することにより前記誤差拡散処理を実行し、前記有色インクの前記ドット配置データを生成する際に用いるノイズマトリックスよりも、前記画質向上液のドット配置データを生成する際に用いるノイズマトリックスは小さいことを特徴とする請求項３に記載の画像処理装置。
【請求項５】
前記ドット配置データ生成手段は、各画素の閾値が予め設定されたディザパタンを用いて前記ドット配置データを生成し、前記有色インクの前記ドット配置データを生成する際に用いるディザパタンにおける閾値の分散性を前記画質向上液のドット配置データを生成する際に用いるディザパタンにおける閾値の分散性よりも高くすることにより、前記記録媒体における前記有色インクのドット配置よりも前記画質向上液のドット配置の方が、空間周波数における低周波成分を多く含むようにすることを特徴とする請求項１または２に記載の画像処理装置。
【請求項６】
前記記録ヘッドは、前記ドット配置データ生成手段によって記録と定められた画素に相当する領域内における１以上のドットの配置が決定されたドット配置決定データに従って、前記有色インクおよび前記画質向上液を吐出することを特徴とする請求項１ないし５のいずれか１項に記載の画像処理装置。
【請求項７】
前記ドット配置データ生成手段によって記録と定められた画素に相当する領域内における１以上のドットの配置を決定することにより前記ドット配置決定データを生成するためのドット配置決定手段を更に備えることを特徴とする請求項６に記載の画像処理装置。
【請求項８】
第１の記録モードおよび第２の記録モードのいずれかを設定することが可能な設定手段を更に備え、
前記第１の記録モードが設定された場合、
前記ドット配置データ生成手段は、前記記録媒体における前記有色インクのドット配置よりも前記画質向上液のドット配置の方が空間周波数における低周波成分が多く含まれるように前記ドット配置データを生成し、前記画質向上液は、前記ドット配置データに従って、前記有色インクによる記録が完了した後に記録され、
前記第２の記録モードが設定された場合、
前記ドット配置データ生成手段は、前記記録媒体における前記有色インクのドット配置と前記画質向上液のドット配置が同等の空間周波数の成分を有するように前記ドット配置データを生成し、前記画質向上液は、前記ドット配置データに従って、前記有色インクと同時に記録されることを特徴とする請求項１に記載の画像処理装置。
【請求項９】
前記記録媒体における画像領域は、前記記録ヘッドが前記ドット配置データに従って前記有色インクと前記画質向上液を吐出しながら複数回の記録走査を行うことにより記録され、
前記第１の記録モードが設定された場合、
前記画像領域に対する前記画質向上液の前記記録走査は、前記有色インクによる記録走査が完了した後に前記ドット配置データに従って行われ、
前記第２の記録モードが設定された場合、
前記画像領域に対する前記画質向上液の前記記録走査は、前記有色インクと同じ記録走査によって前記ドット配置データに従って行われることを特徴とする請求項８に記載の画像処理装置。
【請求項１０】
前記ドット配置データ生成手段は、前記画像の階調を示す画像データに基づいて、前記有色インクの夫々に対応する有色インク用のドット配置データと、前記有色インクとほぼ同時に記録するための前記画質向上液用の第１のドット配置データと、前記有色インクの記録が完了してから記録するための前記画質向上液用の第２のドット配置データと、を生成し、
前記有色インク用のドット配置データおよび前記第１のドット配置データから得られる前記記録媒体におけるドット配置よりも、前記第２のドット配置データから得られるドット配置の方が、空間周波数における低周波成分が多く含まれていることを特徴とする請求項１に記載の画像処理装置。
【請求項１１】
前記低周波成分は、１０ｃｙｃｌｅ／ｍｍ以下の空間周波数であることを特徴とする請求項１乃至１０のいずれかに記載の画像処理装置。
【請求項１２】
前記記録ヘッドを用い、前記ドット配置データに従って前記有色インクおよび前記画質向上液のドットの記録を行う記録手段を更に備えることを特徴とする請求項１ないし１１のいずれか１項に記載の画像処理装置。
【請求項１３】
色材を含む有色インクと透明な画質向上液を吐出する記録ヘッドを用いて記録媒体に画像を記録するための画像処理方法であって、
前記画像の階調を示す画像データに基づいて、前記有色インクおよび前記画質向上液のドットの記録および非記録を前記記録媒体の各画素に相当する領域に対して定めるドット配置データを生成するドット配置データ生成工程
を有し、
前記ドット配置データ生成工程は、前記記録媒体における前記有色インクのドット配置よりも、前記画質向上液のドット配置の方が、空間周波数における低周波成分が多く含まれるように、前記ドット配置データを生成することを特徴とする画像処理方法。